(57)【要約】【課題】  一対の開閉扉の開放を、一方または両方選択して１つの開放動作で開放できる扉開放機構を備えた冷蔵庫を提供する。【解決手段】  筺体２の最上部に配置される貯蔵室１０の前部を、この貯蔵室１０の両側の回転軸３を介して開閉可能な一対の開閉扉５０で覆う冷蔵庫であって、一方の開閉扉５０ａの自由端側４ａの下端部に、この一方の開閉扉５０ａを開放するための手掛け部６０ａと、この手掛け部６０ａの自由端側４ｂにスライド可能に配置される操作レバー１１０と、この操作レバー１１０と連結されて自由端側４に張り出すスライド棒１１１と、前記操作レバー１１０を前記手掛け部６０ａ側に戻すように作用するバネ体１１５とを備え、他方の開閉扉５０ｂの自由端側４ｂに前記スライド棒１１１と嵌合する嵌合部１５０を備え、前記嵌合部１５０は、前記スライド棒１１１の軌道路の前部に所定の間隔１５２をもって配置される開放接触部１５１を備えるようにする。【選択図】  図１
2010084960.tif 000002
【特許請求の範囲】
【請求項１】
筺体の最上部に配置される貯蔵室の前部を、この貯蔵室の両側の回転軸を介して開閉可能な一対の開閉扉で覆う冷蔵庫において、
一方の開閉扉の自由端側に、操作レバーと、この操作レバーの動作に伴って自由端側に突出する突起部とを備え、
他方の開閉扉の自由端側に前記突起部と嵌合する嵌合部とを備え、
前記嵌合部は、前記突起部の軌道路の前部に所定の間隔をもって配置される開放接触部を備えている
ことを特徴とする冷蔵庫。
【請求項２】
筺体の最上部に配置される貯蔵室の前部を、この貯蔵室の両側の回転軸を介して開閉可能な一対の開閉扉で覆う冷蔵庫において、
一方の開閉扉の自由端側に、操作レバーと、この操作レバーの動作に伴って自由端側に張り出すスライド棒とを備え、
他方の開閉扉の自由端側に前記スライド棒と嵌合する嵌合部を備え、
前記嵌合部は、前記スライド棒の軌道路の前部に所定の間隔をもって配置される開放接触部を備えている
ことを特徴とする冷蔵庫。
【請求項３】
前記請求項１または２記載の冷蔵庫において、
前記操作レバーは、一方の開閉扉を開閉するための手掛け部に隣接して設けられている
ことを特徴とする冷蔵庫。
【請求項４】
前記請求項１または２記載の冷蔵庫において、
前記操作レバーは、一方の開閉扉を開閉するための手掛け部と隣接する第２の手掛け部に設けられている
ことを特徴とする冷蔵庫。
【請求項５】
前記請求項１または２記載の冷蔵庫において、
前記操作レバーは、一対の開閉扉の上端部に設けられている
ことを特徴とする冷蔵庫。
【請求項６】
筺体の最上部に配置される貯蔵室の前部を、この貯蔵室の両側の回転軸を介して開閉可能な一対の開閉扉で覆う冷蔵庫において、
一方の開閉扉の自由端側の下端部に、この一方の開閉扉を開放するための手掛け部と、この手掛け部の自由端側にスライド可能に配置される操作レバーと、この操作レバーと連結されて自由端側に張り出すスライド棒と、前記操作レバーを前記手掛け側に戻すように作用するバネ体とを備え、
他方の開閉扉の自由端側に前記スライド棒と嵌合する嵌合部を備え、
前記嵌合部は、前記スライド棒の軌道路の前部に所定の間隔をもって配置される開放接触部を備えている
ことを特徴とする冷蔵庫。
【請求項７】
筺体の最上部に配置される貯蔵室の前部を、この貯蔵室の両側の回転軸を介して開閉可能な一対の開閉扉で覆う冷蔵庫において、
一方の開閉扉の自由端側の下端部に、この一方の開閉扉を開放するための手掛け部と、一対の開閉扉を時間差で開放するための第２手掛け部と、前記他方の開閉扉の解放機構部とを設け、
前記第２手掛け部は、前記開放機構分を動作させる操作レバーを備え、
前記解放機構部は、前記操作レバーの動作に基づいて、前記一方の開閉扉の自由端側の端部から突出する突起部を備え、
前記他方の開閉扉の自由端側には、前記突起部と嵌合する嵌合部を備え、
前記嵌合部は、前記突起部の軌道路の前部に所定の間隔をもって配置される開放接触部を備えている
ことを特徴とする冷蔵庫。
【請求項８】
前記請求項７記載の冷蔵庫において、
解放機構部は、前記突起部を備えたスライド棒と、このスライド棒を支持するレール部と、前記操作レバーの動作をスライド棒のスライド動作に伝達する動作連結部とを含んで構成する
ことを特徴とする冷蔵庫。
【請求項９】
前記請求項１から８記載のいずれかの冷蔵庫において、
前記操作レバーの動作に伴って、その移動状態を表示する表示機構を備えた
ことを特徴とする冷蔵庫。
【請求項１０】
前記請求項１から５記載のいずれかの冷蔵庫において、
前記一対の開閉扉は、一方が他方より横幅が大きく形成され、
前記一方の開閉扉は、横幅が大きな開閉扉である。
ことを特徴とする冷蔵庫。
【発明の詳細な説明】
【技術分野】
【０００１】
本発明は、貯蔵室の前面を覆う一対の開閉扉が、両側を回転軸とする開閉機構で構成される冷蔵庫に関するものである。
【背景技術】
【０００２】
近年、冷蔵庫が大容量化し、貯蔵室が大型化したことから、必然的に貯蔵室を覆う開閉扉も大型化している。この冷蔵庫の開閉扉は、その内側の周囲に磁石を備えたパッキンも設けられており、このパッキンが本体筺体の前面の金属性の枠体と密着することで、開閉扉を閉めた際の貯蔵室内を密閉させている。このため、開閉扉を開放するためには、このパッキンと本体筺体との密着を解除しなければならない。したがって、大きな貯蔵室を覆う開閉扉を開放するためには、密着面積が大きいパッキンの密着を解除するために大きな力を必要とすることになる。
【０００３】
そこで、現在主流の冷蔵庫は、貯蔵室の最上部に最も大きな容積を有する冷蔵室を配置し、その前面を両側を回転軸で軸支される、所謂、観音開き構造の開閉扉で覆う構造としている。この観音開き構造の開閉扉によれば、パッキンの密着を２つの開閉扉で分散しているので、それぞれの開閉扉の開放を楽に行うことができる。しかも、食品の出し入れに際し、一々大きな冷蔵室全体を開放することなく、一方の開閉扉を開放することができるので、冷気漏れの観点からも有利である。
【０００４】
一方、この観音開き構造の開閉扉は、一対の開閉扉間の冷気漏れを防ぐために、一方の開閉扉の自由端側に回転仕切板を備えている。この回転仕切板は、閉めた状態では、展開して一対の開閉扉間の間を塞ぎ、開放した状態では、自由端側に折りたたまれる構造としている。このため、回転仕切板を備える開閉構造では、貯蔵室内の冷気漏れを軽減しつつ、回転仕切板を備える一方の開閉扉の開閉はもちろん、他方の開閉扉の開閉も自由に行うことができる。
【０００５】
また、この観音開き構造の開閉扉は、それぞれの開閉扉の下端部あるいは自由端の扉面に設けたハンドルを介して開閉できる構造としている。しかし、ソレノイド装置などを用いて、開閉扉の開閉を機械的に行う冷蔵庫も提案されている。また、開放される開閉扉の負荷を検知して、楽に開放できるように補助する開扉装置も提案されている。
【０００６】
【特許文献１】特開２００５−２１４４８８号公報
【発明の開示】
【発明が解決しようとする課題】
【０００７】
従来の観音開き構造の開閉扉によれば、冷蔵室内の食品の配置が分かっていれば、目的部分の前面を覆う一方の開閉扉を開放すればよいので、開放する力も少なく、しかも、冷気漏れを少なくすることができる。しかし、食品の配置が分からない場合は、一方の開閉扉を開いて、更に、他方の開閉扉を開くという２度手間の作業を行わなければならない。この際、他方の開閉扉を開く際に、回転仕切板の自由端を掴んであけようとして開放できなかったり、あるいは、この回転仕切板を壊してしまう課題もある。
【０００８】
また、一度に一対の開放扉を開こうとすると、両手をそれぞれのハンドルに添えて開くことになるので、大きな力が必要であるとともに、この開く際の姿勢も注意しなければならない。
【０００９】
これらの課題は、自動開閉機構を備えることで解決できるが、この自動開閉機構の採用するコストの課題があり、また、停電時に自動開閉機構が開閉扉の開閉に支障をきたす課題がある。
【００１０】
そこで、この発明の目的とするところは、一対の開閉扉の開放を、一方または両方選択して１つの開放動作で開放できる扉開放機構を備えた冷蔵庫を提供することにある。
【課題を解決するための手段】
【００１１】
前記目的を達成するために、この発明に係る冷蔵庫は、筺体の最上部に配置される貯蔵室の前部を、この貯蔵室の両側の回転軸を介して開閉可能な一対の開閉扉で覆う冷蔵庫であって、一方の開閉扉の自由端側に、操作レバーと、この操作レバーの動作に伴って自由端側に突出する突起部とを備え、他方の開閉扉の自由端側に前記突起部と嵌合する嵌合部とを備え、前記嵌合部は、前記突起部の軌道路の前部に所定の間隔をもって配置される開放接触部を備えるようにする。
【発明の効果】
【００１２】
本発明によれば、一対の開閉扉の開放動作を１つの開放動作で一方または両方選択して楽な力で開放することができる。
【発明を実施するための最良の形態】
【００１３】
以下、図１から図１２を参照して、この発明に係る冷蔵庫を具体的に説明する。なお、同一の部位や方向などは同一符号を持って示し、重複した説明を省略する。ここで、図１から図６が第１実施例、図７が第２実施例、図８が第３実施例、図９から図１２が第４実施例を示している。
【実施例１】
【００１４】
先ず、図１を参照して、この実施の形態に係る冷蔵庫を具体的に説明する。ここで、図１が、第１実施例に係る冷蔵庫の概略構成図である。図２は第１実施例に係る解放機構の組立図である。図３は解放機構部の部分外観図である。図４から図６が動作説明図である。
【００１５】
図１において、符号１で総括的に示すこの実施例に係る冷蔵庫は、複数の図示しない仕切壁で仕切られた複数の貯蔵室を備えた内容積が５００Ｌ以上の大型冷蔵庫である。この実施例は、最上部に冷蔵室１０、その下方に冷凍室２０、最下部に野菜室３０をそれぞれ備えている。この３つの温度帯の異なる貯蔵室は、それぞれ図示しない断熱仕切壁に分割されている。また、中段の冷凍室２０は、断熱材のない仕切壁で上下に分割され、さらに上段は左右に分割されている。そして、各貯蔵室は断熱材が充填された開閉扉で、その前面を覆われることで密閉された貯蔵室を構成し、この開閉扉を開放することで食品の出し入れを行うことができる。
【００１６】
この実施例では、最上部に一対の開閉扉５０を観音開きで開閉することができる冷蔵室１０を配置し、その下段の左右に引出式の開閉扉をそれぞれ備えた製氷室２１と第２冷凍室２２を配置し、その下段に引出式の開閉扉を配置した第１冷凍室２３を配置し、最下部に引出式の開閉扉を配置した野菜室３０を配置している。
【００１７】
そして、この実施例に係る冷蔵庫１の大きな特徴の１つは、一対の開閉扉５０の一方の開放動作にともなって、その一方の開閉扉５０ａの単独の開閉なのか、あるいは、両方の開閉扉５０ａ、５０ｂを開放するのかを選択できる解放機構部１００を備えた点にある。
【００１８】
即ち、この実施例に係る開閉扉５０は、本体筺体２の両側に設けたヒンジ機構３を介して、このヒンジ機構３側の固定端側４ａを中心に対向する自由端側４ｂを開放することができる。つまり、この実施例の開閉扉５０は、冷蔵庫１の両側の固定端４ａを中心として、中央側の自由端４ｂを移動させて開放することができる観音方式の構造を備えている。各開閉扉５０ａ、５０ｂは、その内壁面の周囲に図示しないパッキン５１を設けて、このパッキン５１が閉じた状態で本体筺体２と密着することで、冷蔵室１内の冷気が漏れない構造としている。
【００１９】
また、一対の開閉扉５０の自由端４ｂ側は、この２つの開閉扉５０間を塞ぐ図示しない回転仕切板がその隙間に沿って設けられている。この実施例では、左側の他方の開閉扉５０ｂに回転仕切壁を設けている。この回転仕切板は、閉めた状態では、２つの開閉扉５０の間の隙間を塞ぎ、開いた状態では、他方の開閉扉５０ｂの自由端側の側面に折りたたまれて収納される。
【００２０】
一般に、このような観音方式の開閉扉では、それぞれの開閉扉に設けられるハンドル部６０を介して開閉動作を行うことができる。この実施例では、開閉扉５０の自由端側の下端部に凹状の手掛け部６０を形成し、この手掛け部６０に手を掛けて手前に引っ張ることで開閉扉５０を開放することができる。したがって、一対の開閉扉５０ａを一度に開放するには、両方の開閉扉５０の手掛け部５０ａ、５０ｂにそれぞれ手を引っ掛けて開放しなければならない。この際、それぞれの開閉扉５０ａ、５０ｂは、パッキン５１に内蔵された磁石が金属性の本体筺体２に密着しているので、開閉扉５０を開放するためには、この２つの密着を解除するための大きな力が必要となる。しかも、２つの手掛け部６０ａ、６０ｂを同時に操作すると操作者の足がそろう姿勢になるので、開ける動作が不安定となり、より多くの力を必要とする。もちろん、１個ずつ開放することもできるが、２度手間となる。
【００２１】
そこで、この実施例においては、一方の開閉扉５０ａの自由端４ｂ側に、操作レバー部１１０と、この操作レバー部１１０の動作に伴って開閉扉５０ｂ側に張り出すスライド棒１１１とを備え、他方の開閉扉５０ｂの自由端４ｂ側に前記スライド棒１１１と嵌合する嵌合部１５０を備える解放機構部１００を採用している。この構造によれば、操作レバー１１０を操作すれば、スライド棒１１１が嵌合部１５０と嵌合するので、一方の開閉扉５０ａの手賭け部６０ａに手を掛けて手前に引けば、一方の開閉扉５０ａの開放動作に伴って他方の開閉扉５０ｂも開放させることができる。したがって、この実施例によれば、片手の動作で２つの開放動作を行うこととなるので、利用者に開放動作に伴う無理な姿勢をとらせることを軽減することができる。
【００２２】
また、この実施例の大きな特徴の１つは、１つの開放動作に伴って、一方の開閉扉５０ａと他方の開閉扉５０ｂを時間差を持って開放するようにした点である。
【００２３】
即ち、２つの開閉扉５０ａ、５０ｂは、それぞれパッキン５１と本体筺体２とが磁石で密着しているので、この２つの密着を時間差で開放すれば、開放に伴う力を分散させることができる。この実施例の嵌合部１５０は、スライド棒１１１の軌道路の前部に所定の間隔をもって配置される開放接触部１５１を備えるようにしている。このため、一方に開閉扉５０aが開放されて、その密着が解除されるまで、所定の間隔があるので、スライド棒は開放接触部１５１に当たらない。一方に開閉扉５０aの密着が解除されて、スライド棒１１１が開放接触部１５１に当たると、初めて、他方の開閉扉５０ｂの密着の解除動作となる。
【００２４】
このように、この実施例では、一対の開閉扉５０を時間差をもって開放するので、開放に伴う力を分散させることができるから、開放動作を楽に行うことができる。
【００２５】
また、この実施例の大きな特徴の１つは、一方の開閉扉５０ａの開放動作に伴って操作レバー１１０を操作可能とした点にある。
【００２６】
即ち、この実施例では、一方の開閉扉５０ａの手掛け部６０ａ（自由端４ｂ側）の片側に操作レバー１１０を配置する構造としている。この構造によれば、手掛け部に挿入した片手を自由端４ｂ側に移動させて、操作レバー１１０を操作して、手前に引くことができるので、１つの一連の動作で、操作レバー１１０の操作と開放動作を行うことができる。
【００２７】
また、この実施例の大きな特徴の１つは、操作レバー１１０の操作状況を利用者に一目で分からせる表示部１８０を備えた点にある。
【００２８】
即ち、この実施例では、一方の開閉扉５０ａの自由端４ｂ側に操作パネル５を設け、この操作パネル５に開放動作の選択を識別させる表示部１８０を設けている。この表示部１８０には、操作レバー１１０とアーム部１１２を介して連結される表示板１８１がスライド可能に設けられている。したがって、操作レバー１１０を操作すれば、この操作に伴って表示板１８１も表示部１８０内を移動するので、この移動を操作レバー１１０を操作したのか利用者が目視することができる。
【００２９】
加えて、この実施例の解放機構部１００は、この解放機構部１００を構成する操作レバー部１１０とスライド棒１１１が保護カバー１１３により隠蔽され、僅かに、操作レバー部１１０とアーム部１１２を連結する底板部１１４が保護カバー１１３上を密着してスライドする構造としている。しかも、アーム部１１２は操作パネル５内に隠蔽されるので、保護カバー１１３から露出する底板部１１４は開放動作に支障をきたすことがない。
【００３０】
更に、この解放機構部１００は、操作レバー部１１０やスライド棒１１１を復帰させるバネ材１１５を備えているので、開放動作を行って手掛け部６０ａから手を離せば、操作レバー部１１０やスライド棒１１１は元の状態に復帰するので、自由端４ｂから張り出したスライド棒１１１の先端部が人に当たったり、あるいは、閉める際に他の開閉扉５０ｂに当たって損傷するのを防ぐことができる。
【００３１】
以下、図２から図６を参照して、この実施例に係る冷蔵庫１の大きな特徴である解放機構部１００を更に詳細に説明する。ここで、
先ず、図２と図３を参照して、解放機構部１００の周辺構造を説明する。
【００３２】
図２において、この実施例に係る開閉扉５０は、前面と両側面を構成する鋼板製の扉板５２と、図示しない樹脂製の天板と、樹脂製の底板部材５３と、樹脂製の内壁部材５４とで箱体を構成し、この箱体に断熱材を充填した構造を備えている。また、この実施例では、自由端側４ｂの前面には樹脂製の操作パネル５を取り付け、内壁部材の周囲にパッキン５１を取り付けている。
【００３３】
そして、この実施例では、底板部材５３に手掛け部６０と解放機構部１００を設けている。ここで、図２では、一方の開閉扉５０ａを説明するが、他方の開閉扉５０ｂも一方の開閉扉５０ａと同様な構造を備え、その底板部材５３に手掛け部６０ｂと嵌合部１５０とを設けている。ここでは、詳細構造を省略する。
【００３４】
底板部材５３の自由端側４ｂには、底板部材５３の長手方向に沿って形成される横長で凹状の第１凹部１１６と第２凹部１１７が形成されている。第１凹部１１６は、固定端側４ａが手掛け部６０ａとなり、自由端側４ｂが解放機構部１００の第１機構収納部１１８となる。また、第２凹部１１７は解放機構部１００の第２機構収納部１１９となり、その自由端側４ｂの端部にはスライド棒１１１の先端が出入りする凹部１２５が形成されている。そして、保護カバー１１３は、この第１機構収納部１１８と第２機構収納部１１９を覆うようにほぼＴ字形状の平板状に形成されている。
【００３５】
スライド棒１１１は、扁平な短冊形状を備えており、その先端部は丸みを持って形成されることで、嵌合部１５０との嵌合を良好にするとともに、安全性をも考慮している。操作レバー部１１０は箱型の形状を備え、一方が手が触れる指接触面１１０ａであり、他方がバネ材１１５と接触するバネ押さえ面１１０ｂとなっている。この操作レバー部１１０とスライド棒１１１とは板状のベース板１２０を介して連結される。また、ベース板１２０と平板状の底板部１１４とは隙間１２２を持つて連結部１２１（図５（ｂ）図参照）を介して平行に連結されている。また、底板部１１４には、アーム部１１２を介して表示板１８１が取り付けられる。このように、この実施例では、操作レバー部１１０とベース板１２０と底板部１１４とアーム部１１２などが、スライド棒１１１とともに１つの移動体１２６を構成する。
【００３６】
一方、第２機構収納部１１９の前後の内壁面には、その長手方向に沿ってスライド棒１１１を支持する支持レール１２３が設けられている。また、第２機構収納部１１９の固定端側４ａの内壁面には、保護カバー１１３の一端部を固定する取付凹部１２４が設けられている。
【００３７】
上記構造を備えた解放機構部１００によれば、コイル状のバネ材１１５を第１機構収納部１１８に収納して、これをバネ押さえ面１１０ｂで支持するように移動体１２６を装着する。これにより、移動体１２６の操作レバー部１１０がバネ材１１５とともに第１機構収納部１１８に収納され、スライド棒１１１は支持レール１２３に支持されて第２機構収納部１１９に収納される。また、スライド棒１１１と操作レバー部１１０を連結するベース板１２０は第１機構収納部１１８と第２機構収納部１１９に跨って収納される。
【００３８】
そして、保護カバー１１３を、その細い一端部を取付凹部１２４に挿入して、第１機構収納部１１８と第２機構収納部１１９を隠蔽するように取り付け、太い他端をネジを介して底板部材５３に取り付ければ、移動体１２６を底板部材５３に移動可能に取り付けることができる。この取り付け状態を図３の(ａ)図に示す。
【００３９】
図３の(ａ)図及び図２において、この実施例の移動体１２６は、アーム部１１２を支持する底板部１１４以外は保護カバー１１３により第１機構収納部１１８と第２機構収納部１１９内に隠蔽される。ここで、保護カバー１１３は、ベース板１２０と底板部１１４とで形成される隙間１２２に移動可能に挿入される。そして、この移動体１２６は、スライド棒１１１を支持する支持レール１２３と保護カバー１１３により、その移動方向である開閉扉５０aの長手方向（水平方向）に移動可能に支持される。
【００４０】
また、この図３の（ａ）の状態では、バネ材１１５によって移動体１２６は固定端側４ａに応力を受けることとなる。したがって、操作レバー部１１０の指接触面１１０ａは、手掛け部６０ａの片側（自由端側４ｂ）に張り出して配置されることとなる。
【００４１】
一方、保護カバー１１３から露出する底板部１１４は、隙間１１２が保護カバー１１３の板厚と同程度であり、かつ薄い扁平な形状であるために、その外観は保護カバー１１３に馴染む形状となっている。更に、アーム部１１２は、その殆どが扉板５２と操作パネル５との間に形成されるアーム移動路１２７に挿入されて隠蔽される。したがって、保護カバー１１３から露出する底板部１１４とアーム部１１２が外観的にも取り扱い的にも支障をきたすものではない。
【００４２】
また、このような構造を備える解放機構部１００の構造であれば、開閉扉５０の組立性も良好とすることができる。即ち、開閉扉５０の製造工程においては、扉板５２と底板部材５３と内壁部材５４などで箱体を構成し、この箱体に断熱材を充填することとなる。この実施例では、この断熱材を充填した後の底板部材５３に解放機構部１００を組み込むことができる。しかも、第１機構収納部１１８と第２機構収納部１１９に解放機構部１００を装着して、保護カバー１１３でこれを固定する極めて簡単な取り付けで組み立てることができる。更に、解放機構部１００の装着の後に操作パネル５を取り付ければよい。
【００４３】
さて、図３の（ａ）図において、この実施例によれば、片手を手掛け部６０ａに挿入して、そのまま手前に引けば、この手掛け部６０ａを備えた一方の開閉扉６０ａだけを開放することができるが、手掛け部６０ａに挿入した片手を自由端側４ｂに移動させて手前に引けば他方の開閉扉６０ｂも開放することができる。
【００４４】
図３の（ｂ）図は、手掛け部６０ａに挿入した片手を自由端側４ｂに移動させた状態の部分斜視図を示している。この実施例によれば、片手を自由端側４ｂに移動させることにより、開閉扉６０ａの自由端側４ｂの側面に設けた凹部１２５からスライド棒１１１の先端部１１１aが飛び出し、この飛び出したスライド棒１１１の先端部１１１ａが嵌合部１５０と嵌合して他方の開閉扉６０ｂを開放させることができる。しかも、この片手を自由端側４ｂに移動させることによって、表示部１８０の表示板１８１も移動するので、この表示板１８１の移動により、一方の開閉扉６０ａの開放だけなのか、あるいは他の開閉扉６０ｂも開閉するのかを視覚的に認識することができるので、誤操作を軽減することができる。
【００４５】
次に、図４から図６を参照して、この開放動作を更に説明する。ここで、図４と図５の(ａ)図は底面側から見た動作図であり、（ｂ）図は側面から見た概略断面図である。また、図６の(ａ)(ｂ)図は底面側から見た動作図である。
【００４６】
先ず、図４において、この図４は、図３の(ａ)図の状態を示している。移動体１２６は、スライド棒１１１が支持レール１２３と保護カバー１１３に保持されることにより、水平方向（図面上の左右方向）に移動可能に構成される。この状態では、バネ材１１５により、操作レバー部１１０が固定端側４ａに押された状態となっている。これにより、スライド棒１１１の先端部１１１ａは、一方の開閉扉５０ａ内に収まっている。このため、この状態で、手掛け部６０ａに片手を挿入して手前（図面上の上方）へ引けば、一方の開閉扉５０ａだけを開放することができる。
【００４７】
一方、他方の開閉扉５０ｂも開放する場合は、図５のように、手掛け部６０ａに挿入した片手を自由端側４ｂ側に押し付けると、操作レバー部１１０が自由端側４ｂ側に移動する。この移動に伴って、スライド棒１１１も自由端側４ｂ側に移動するので、スライド棒１１１の先端１１１ａが凹部１２５から飛び出して、他方の開閉扉６０ｂの対向する自由端側４ｂに設けた嵌合部１５０に挿入される。
【００４８】
ここで、嵌合部１５０に挿入された先端１１１ａの開放接触端部１１１ｂと、嵌合部１５０の開放接触部１５１とは長さＬの隙間１５２が設けられている。この隙間１５２は、パッキン５１の磁石の強度やその厚さによって決定している。
【００４９】
さて、この図５の状態から、一方の開閉扉６０ａを開放すると図６の(ａ)図の状態となる。スライド棒１１１の先端部１１１aが飛び出した状態で、手掛け部６０ａを手前に引くと、(ａ)図のように、最初は、先端部１１１aの開放接触端部１１１ｂと嵌合部１５０の開放接触部１５１とは接触しないので、他方の開閉扉５０ｂの開放動作はなされない。一方、手掛け部６０ａを備えた一方の開閉扉５０ａは、手前に引かれるので、一方の開閉扉５０ａに設けたパッキン５１と本体筺体２との磁石による密着の解除動作が行われる。
【００５０】
この実施例では、開放接触端部１１１ｂと開放接触部１５１との隙間１５２の長さＬが、この解除動作に対応して設定しているので、一方の開閉扉６０ａの解除動作が終了すると、図６(ａ)図に示すように、初めて開放接触端部１１１ｂと開放接触部１５１とが接触する。そして、この接触された状態で、一方の開閉扉５０ａの手掛け部６０ａを更に手前に引けば、この引く動作に伴って、（ｂ）図のように、他方の開閉扉５０ｂの自由端側４ｂも手前に引っ張られる。これにともなって、他方の開閉扉５０ｂのパッキン５１と本体筺体２との磁石の密着の解除動作が行われるので、他方の開閉扉５０ｂも開放させることができる。
【００５１】
なお、一対の開閉扉５０の開放動作が終了して、片手を手掛け部６０ａから離せば、バネ材１１５の作用により、スライド棒１１１の先端部１１１aが一方の開閉扉６０ａ内に収納されるので、この飛び出した先端部１１ａが他方の開閉扉６０ｂや他の障害物と接触することが軽減される。
【００５２】
このように、この実施例では、一対の開閉扉５０の開放動作を時間差を持って行うことができるので、同時に開放するのに比べて、パッキン５１と本体筺体２との密着を２つに分けて行うことができるから、解放する力を分散させて小さな力で開放することができる。
【実施例２】
【００５３】
次に図７を参照して、第２実施例に係る冷蔵庫１Ａを具体的に説明する。ここで、図７は解放機構部の他の実施例に係る構造図であり、(ａ)図が部品展開図、（ｂ）が状態変化図である。
【００５４】
図７において、この第２実施例に係る解放機構部Ａは、一対の開閉扉５０を同時に開放するか、片方かの選択を電気的に表示する構造としたものである。
【００５５】
即ち、前記第１実施例では、移動体１００の移動に伴って表示板１８１を移動させて、表示部１８０で利用者に表示する構造を備えていた。しかし、この実施例では、移動体１２６の移動に伴ってＯＮ、ＯＦする図示しないスイッチを移動体１２６Ａの移動路上に備えたものである。
【００５６】
上記構造を備えると、第１実施例で説明した底板部１１４と、これに連結するアーム部１１２が不要となる。即ち、この実施例では、操作レバー部１１０とスライド棒１１１とから移動体１２６Ａを構成し、この移動体１２６Ａを保護カバー１１３で覆うシンプルな構造とすることができる。他の構造については第１実施例と同様につき省略する。
【実施例３】
【００５７】
次に、図８を参照して、第３実施例を説明する。ここで、図８は動作変化を示す外観図である。
【００５８】
図８において、この実施例は、一対の開閉扉の上端部に解放機構部１００Ｂを備えたものである。
【００５９】
即ち、前記第１、第２実施例では、手掛け部に手を挿入する動作に連動して、操作レバー部１１０を動作させる構造としたが、これに限定されるものではない。例えば、図８に示すように、一方の開閉扉５０ａの上部に、スライド棒１３１と、このスライド棒１３１を左右方向に移動可能に指示する支持レール部１３２と、スライド棒１３１を異動させるレバー部１３３とから構成している。一方、他方の開閉扉５０ｂの上部には、前記スライド棒１３１と当たる突起部１３４を備えている。なお、支持レール部１３２はスライド棒１１１を収納する凹部とこれを覆う上カバーで構成する。
【００６０】
この実施例では、レバー部１３３が開閉扉５０ａの前面から前方に張り出しており、この張り出したレバー部１３３を、（ｂ）図のように、自由端側４ｂへ移動させると、このレバー部１３３に連結されるスライド棒１３１も自由端側４ｂの方向へ移動させることができる。レバー部１３３は凹状のレバー受部１３５により、その移動量が規制されているので、このレバー部１３３を移動させることにより、スライド棒１３１の先端部１３１ａを所定量飛び出させることができる。
【００６１】
この実施例でも、飛び出した先端部１３１ａと、この先端部１３１ａと当たる突起部１３４とは長さＬの隙間１２２が設定されている。このため、(ｃ)図に示すように、一対の開閉扉５０を時間差で開放させることができるから、第１実施例と同様な作用効果を得ることができる。この実施例によれば、開閉扉の構造を大きく変更することなく、上記機構をネジなどを介して簡単に取り付けることができる。
【実施例４】
【００６２】
次に、図９から図１２を参照して、第４実施例に係る冷蔵庫１Ｃを具体的に説明する。ここで、図９が第９実施例に係る解放機構部の部品展開図である。図１０は第９実施例に係る解放機構部の組立図である。図１１は第９実施例に係る解放機構部の動作説明図である。図１２が第９実施例に係る解放機構部の部分外観図である。
【００６３】
先ず、図９と図１０を参照して、この第４実施例に係る冷蔵庫１Ｃの概略構造を説明する。図９、図１０において、この第４実施例に係る冷蔵庫１Ｃは、一方の開閉扉５０ａの底板部材５３に、この一方の開閉扉５０ａを単独で開放するための手掛け部６０ａと、この一方の開閉扉５０ａに加えて他方の開閉扉５０ｂをも開放するための第２手掛け部２００を並べて配置し、この第２手掛け部２００にスライド棒２１０を動作させるための操作レバー部２１１を備えている。この実施例では、操作レバー２１１を操作すると、動作連結部２１２が、操作レバー２１１の動きをスライド棒２１０のスライド動作に変換して伝え、これによりスライド棒２１０が自由端側４ｂ側に移動して、その先端部２１０ａを開放扉５０ａの自由端側４ｂから突出させる。そして、この突出したその先端部２１０ａが第１実施例と同様に嵌合部１５０に嵌合するので、第２手掛け部２００を手前に引けば、一対の開閉扉５０を時間差で開放することができる。
【００６４】
具体的には、一方の開閉扉５０ａの下端部を構成する底板部材５３の自由端側４ｂには、その手前部分に凹状の第２手掛け部２００と、やはり凹状の手掛け部６０ｂとが左右に並べて配置され、この２つの後方には、扁平なスライド棒２１０を収納する凹状の支持レール２１３が形成される。第２手掛け部２００と手掛け部６０ｂの間には、動作連結部２１２を回転可能に支持するとともに、この動作連結部２１２の動きを許容する凹状の連結部収納部２１４が形成される。この連結部収納部２１４は、凹状の前記支持レール２１３に連通されている。
【００６５】
動作連結部２１２は、連結部収納部２１４の回転軸受け部２１５に軸支される回転軸部２１６と、この回転軸部２１６の回転軸２１７に対して所定の角度で配置される第１連結棒２１８と第２連結棒２１９が設けられている。この実施例では、第１連結棒２１８が第２手掛け部２００に延ばして形成され、第２連結棒２１９が、連結部収納部２１４を介して、支持レール２１３まで延ばして形成される。
【００６６】
一方、第２手掛け部２００には、第１連結棒２１８を操作するための操作レバー部２１１が形成される。この実施例に係る操作レバー部２１１は、第２手掛け部２００を覆う開閉蓋で構成している。即ち、この操作レバー部２１１は、第２手掛け部２００を覆う大きさを備えた薄い蓋体２２０と、その回転軸が第２手掛け部２００の手前の縁部に沿って軸支する一対のレバー軸部２２１と、蓋体２２０を常に第２手掛け部２００を覆う（塞ぐ）ように作用するバネ体２２２とを含んで構成する。
【００６７】
この操作レバー部２１１の構造によれば、通常は、バネ体２２２の作用により、蓋体２２０が第２手掛け部２００を覆うように配置されている。この通常の状態から、指を第２手掛け部２００に挿入すると、蓋体２２０は図２に示すように、一対のレバー軸部２２１を中心に回転して、凹状の第２手掛け部２００前部の内壁面２２３に折りたたまれて収納される。つまり、利用者は、この折りたたまれた蓋体２２０と第２手掛け部２００の内壁面２２３が重なった状態で、手前に引けば一方の開閉蓋５０ａを開放することができる。
【００６８】
しかし、この実施例では、この蓋体２２０の回転動作領域の中に第１連結棒２１８の先端部が位置している。このため、蓋体２２０の折りたたまれる回転動作が第１連結棒２１８の先端部を押すこととなる。しかし、第１連結棒２１８は回転軸部２１６に固定されているので、蓋体２２０の折りたたまれる回転動作は回転軸部２１６を、回転軸２１７を中心に回転させることとなる。
【００６９】
一方、回転軸部２１６には第１連結棒２１８と所定の角度を持って配置される第２連結棒２１９が設けられている。したがって、回転軸部２１６の回転動作は、その先端部２１９ａを支持レール２１３まで延ばした第２連結棒２１９を回転軸２１７を中心に回転させる動作となる。ここで、第２連結棒２１９の先端部２１９ａは、その先端が２又に分かれて形成され、この２又部分がスライド棒２１０に設けた突起部２２４に噛み合っている。このため、第２連結棒２１９の回転動作は、その先端部２１９ｂと突起部２２６の噛み合いにより、スライド棒２１０を支持レール２１３に沿ってスライドさせる動きに変換される。
【００７０】
このように、この実施例では、操作レバー部２１１の開閉動作（折りたたみ動作）を動作連結部２１２を介してスライド棒２１０のスライド動作に変換する構造としている。なお、バネ体２２５は、スライド棒２１０を元の位置に復帰させるためのものであり、その両端はスライド棒２１０の固定端側４ａの端部と底板部材５３に取り付けられる。
【００７１】
また、この実施例では、一方の開閉扉５０ａに断熱材を充填して形成した後に、底板部材５３の第２手掛け部２００に操作レバー部２１１、連結部収納部２１４に動作連結部２１２、支持レール２１３にスライド棒２１０をそれぞれ取り付け、更に、これら全体を保護カバー２２４で覆うことで、前記各部材を一括で取り付けることができる。即ち、この保護カバー２２４は、操作レバー部２１１を両側で回転支持する一対のレバー軸部２２１と、連結部収納部２１４と支持レール２１３を覆う大きさを備えることで、この保護カバー２２４をネジなどを介して止めることで、各部品を保持したり、あるいは、スライド移動を円滑にする移動路を構成することができ、組立性や意匠性を向上させている。
【００７２】
次に、図１１、図１２を参照して、この実施例に係る開放機構部１００Ｃの動作方法を更に詳細に説明する。
【００７３】
図１１において、この実施例では、通常の状態ではバネ体２２２の作用により、第２手掛け部２００は操作レバー部２１１で覆われているので、一方の開閉扉５０ａの底板部材５３は、凹状の手掛け部６０ａ以外はほぼフラットに形成されている。この状態で、手掛け部６０ａに手をかけて手前（図面上方）に引けば、一方の開閉扉５０ａのパッキン５１と本体筐体２との磁石による密着を解除して、一方の開閉扉５０ａのみを開放することができる。また、スライド棒２１０は、バネ体２２５の作用により、支持レール２１３内に収まった状態となっている。
【００７４】
一方、他方の開閉扉５０ｂも開放したいときは、手を第２手掛け部２００に挿入する。第２手掛け部２００は、操作レバー部２１１で塞がれているものの、バネ体２２２で、手前側を一対のレバー軸部２２１で回転可能に支持されているので、図１１（ａ）図及び図１２の（ａ）図に示すように、手を第２手掛け部２００に挿入すると、操作レバー部２１１は一対のレバー軸部２２１を中心に内壁面２２３に折りたたまれる。
【００７５】
この際、操作レバー部２１１の折りたたみ動作は、第１連結棒２１８の先端部を押す動作となる。ここで、操作レバー部２１１は、折りたたみ動作の中間位置で第１連結棒２１８の先端部に当たるように設定することにより、操作レバー部２１１が動かないとする利用者の戸惑いを解消するとともに、解放しようとする力が入る位置で第１連結棒２１８に力を作用させることができる。
【００７６】
さて、第１連結棒２１８が操作レバー部２１１に押されると、動作連結部２１２は回転軸２１７を中心に回転する。この動作連結部２１２の回転は、所定の角度で回転軸部２１６に取り付けられる第２連結棒２１９の先端部２１９ａを（ｂ）図のように自由端側４ｂへ移動させる。この先端部２１９ａはスライド棒２１０の突起部２２６に噛み合っているので、先端部２１９ａの移動はスライド棒２１０を自由端側４ｂへ移動させ、その先端部２１０ａを一方の開閉扉５０ａの端部に形成した凹部１２５から突出させる。この突出した先端部２１０ａは、凹部１２５と対向した位置に設けられる他方の開閉扉５０ｂの嵌合部１５０に勘合する。
【００７７】
そして、図１１（ｃ）図に示すように、第２手掛け部２００を手前（図面の上方）へ引けば、先ず、一方の開閉扉５０ａのパッキン５１と本体筐体２の磁石による密着を解除して開放する。そして、この解放直後に、前記スライド棒２１０の先端部２１０ａと嵌合部１５０とが当たって、他方の開閉扉５０ｂのパッキン５１と本体筐体２の磁石による密着を解除して開放する。この一対の開閉扉の時間差による開放は第１実施例と同様のため説明を省略する。
【００７８】
なお、この発明に係る冷蔵庫の解放機構部は、一対の開閉扉を時間差をもって開放するものである。即ち、一方の開閉扉のバンパーの磁石による密着が解除された後に、他の開閉扉のバンパーの磁石による密着を解除するようにする。この時間差をもたせるために、一方の開放扉の自由端側の端部から突起部を突出され、他方の開閉扉の自由端側の端部に、前記一方の開閉扉のバンパーの磁石密着が解除されたときに前記突起部と当たる部分を設けるようにする。また、前記突起部を突出させる手段としては、スライド移動や、回転動作で突出する機構であっても良い。また、この突起部を動作させるものとして、手動であっても、操作レバーを介して突出部を間接的に動作するようにしてもよい。
【００７９】
即ち、この発明に係る冷蔵庫は、筺体の最上部に配置される貯蔵室の前部を、この貯蔵室の両側の回転軸を介して開閉可能な一対の開閉扉で覆う冷蔵庫であって、一方の開閉扉の自由端側に、操作レバーと、この操作レバーの動作に伴って自由端側に突出する突起部とを備え、他方の開閉扉の自由端側に前記突起部と嵌合する嵌合部とを備え、前記嵌合部は、前記突起部の軌道路の前部に所定の間隔をもって配置される開放接触部を備えるようにする。
【００８０】
また、この発明に係る他の冷蔵庫は、筺体の最上部に配置される貯蔵室の前部を、この貯蔵室の両側の回転軸を介して開閉可能な一対の開閉扉で覆う冷蔵庫であって、一方の開閉扉の自由端側に、操作レバーと、この操作レバーの動作に伴って自由端側に張り出すスライド棒とを備え、他方の開閉扉の自由端側に前記スライド棒と嵌合する嵌合部を備え、前記嵌合部は、前記スライド棒の軌道路の前部に所定の間隔をもって配置される開放接触部を備えるようにする。
【００８１】
この場合、前記操作レバーは、一方の開閉扉を開閉するための手掛け部に隣接して設けてもよいし、一方の開閉扉を開閉するための手掛け部と隣接する第２の手掛け部に設けてもよいし、一対の開閉扉の上端部に設けてもよい。
【００８２】
また、本発明の他の冷蔵庫は、筺体の最上部に配置される貯蔵室の前部を、この貯蔵室の両側の回転軸を介して開閉可能な一対の開閉扉で覆う冷蔵庫であって、一方の開閉扉の自由端側の下端部に、この一方の開閉扉を開放するための手掛け部と、この手掛け部の自由端側にスライド可能に配置される操作レバーと、この操作レバーと連結されて自由端側に張り出すスライド棒と、前記操作レバーを前記手掛け側に戻すように作用するバネ体とを備え、他方の開閉扉の自由端側に前記スライド棒と嵌合する嵌合部を備え、前記嵌合部は、前記スライド棒の軌道路の前部に所定の間隔をもって配置される開放接触部を備えるようにする。
【００８３】
また、本発明の他の冷蔵庫は、筺体の最上部に配置される貯蔵室の前部を、この貯蔵室の両側の回転軸を介して開閉可能な一対の開閉扉で覆う冷蔵庫であって、一方の開閉扉の自由端側の下端部に、この一方の開閉扉を開放するための手掛け部と、一対の開閉扉を時間差で開放するための第２手掛け部と、前記他方の開閉扉の解放機構部とを設け、前記第２手掛け部は、前記開放機構分を動作させる操作レバーを備え、前記解放機構部は、前記操作レバーの動作に基づいて、前記一方の開閉扉の自由端側の端部から突出する突起部を備え、前記他方の開閉扉の自由端側には、前記突起部と嵌合する嵌合部を備え、前記嵌合部は、前記突起部の軌道路の前部に所定の間隔をもって配置される開放接触部を備えるようにする。
【００８４】
この場合、解放機構部は、前記突起部を備えたスライド棒と、このスライド棒を支持するレール部と、前記操作レバーの動作をスライド棒のスライド動作に伝達する動作連結部とを含んで構成するようにしてもよい。
【００８５】
また、前記構成の冷蔵庫では、前記操作レバーの動作に伴って、その移動状態を表示する表示機構を備えてもよい。また、前記一対の開閉扉を、一方が他方より横幅が大きく形成し、前記一方の開閉扉を横幅が大きな開閉扉とするようにしてもよい。
【図面の簡単な説明】
【００８６】
【図１】第１実施例に係る冷蔵庫の概略構成図である。
【図２】第１実施例に係る開閉機構の組立図である。
【図３】第１実施例に係る解放機構部の部分外観図である。
【図４】第１実施例に係る解放機構部の動作説明図である。
【図５】第１実施例に係る解放機構部の動作説明図である。
【図６】第１実施例に係る解放機構部の動作説明図である。
【図７】第２実施例に係る解放機構部の構造図である。
【図８】第３実施例に係る解放機構部の構造図である。
【図９】第９実施例に係る解放機構部の部品展開図である。
【図１０】第９実施例に係る解放機構部の組立図である。
【図１１】第９実施例に係る解放機構部の動作説明図である。
【図１２】第９実施例に係る解放機構部の解放機構部の部分外観図である。
【符号の説明】
【００８７】
１…冷蔵庫、２…本体筺体、３…ヒンジ機構、４ａ…固定端側、４ｂ…自由端側、５…操作パネル、１０…冷蔵室、２０…冷凍室、２１…製氷室、２２…第２冷凍室、２３…第１冷凍室、３０…野菜室、５０…一対の開閉扉、５０ａ…開閉扉、５０ｂ…他方の開閉扉、５１…パッキン、５２…扉板、５３…底板部材、５４…内壁部材、６０ａ、６０ｂ…手掛け部、１００…解放機構部、１１０…操作レバー部、１１０ａ…指接触面、１１０ｂ…バネ押さえ面、１１１…スライド棒、１１１ａ…先端部、１１１ｂ…開放接触端部、１１２…アーム部、１１３…保護カバー、１１４…底板部、１１５…バネ材、１１６…第１凹部、１１７…第２凹部、１１８…第１機構収納部、１１９…第２機構収納部、１２０…ベース板、１２１…連結部、１２２…隙間、１２３…支持レール、１２４…取付凹部、１２５…凹部、１２６…移動体、１２７…アーム移動路、１５０…嵌合部、１５１…開放接触部、１５２…隙間、１８０…表示部、１８１…表示板、２００…第２手掛け部、２１０…スライド棒、２１０ａ…先端部、２１１…操作レバー部、２１２…動作連結部、２１３…支持レール、２１４…連結部収納部、２１５…回転軸受け部、２１６…回転軸部、２１７…回転軸、２１８…第１連結棒、２１９…第２連結棒、２１９ａ…先端部、２２０…蓋体、２２１…レバー軸部、２２２…バネ体、２２３…内壁面、２２４…保護カバー、２２５…バネ体、２２６…突起部。
【図１】
2010084960.tif 000003
【図２】
2010084960.tif 000004
【図３】
2010084960.tif 000005
【図４】
2010084960.tif 000006
【図５】
2010084960.tif 000007
【図６】
2010084960.tif 000008
【図７】
2010084960.tif 000009
【図８】
2010084960.tif 000010
【図９】
2010084960.tif 000011
【図１０】
2010084960.tif 000012
【図１１】
2010084960.tif 000013
【図１２】
2010084960.tif 000014